(57)【要約】【課題】コネクタ及びコードを備えた電池を内部に収容してなる携帯情報端末において、電池の組み付け作業を容易化し得る構成を簡易に実現する。【解決手段】携帯情報端末１は、電池本体９１と、電力供給用コード９２と、電池側コネクタ９３と、を備えた電池９０と、電池９０を収容する電源収容部５を備えた装置本体２とを有してなる。この携帯情報端末１は、電池本体９１を保持する電池本体保持部６１と、電池側コネクタ９３を保持するコネクタ保持部７０とを備え、電源収容部５に対し着脱可能に構成された保持ユニット６０を有しており、装置本体２には、電池側コネクタ９３の接続対象となる本体側コネクタ７が設けられている。そして、電源収容部５に対して保持ユニット６０が装着されるときに、その装着操作に応じて電池側コネクタ９３と本体側コネクタ７とが互いに接続するように、本体側コネクタ７とコネクタ保持部９３とが位置合わせされている。【選択図】図１
2009205567.tif 000002
【特許請求の範囲】
【請求項１】
電池本体と、前記電池本体からの電力を供給する電力供給用コードと、前記電力供給用コードに取り付けられる電池側コネクタと、を備えた電源手段と、
前記電源手段を収容する電源収容部を備えた装置本体と、
を有する携帯情報端末であって、
少なくとも前記電池本体を保持する電池本体保持部と、前記電池側コネクタを保持するコネクタ保持部と、を備えると共に、前記電源収容部に対し着脱可能に構成された保持ユニットを有し、
前記装置本体には、前記電池側コネクタの接続対象となる本体側コネクタが設けられており、
前記電源収容部に対して前記保持ユニットが装着されるときに、その装着操作に応じて前記電池側コネクタと前記本体側コネクタとが互いに接続するように、前記本体側コネクタと前記コネクタ保持部とが位置合わせされていることを特徴とする携帯情報端末。
【請求項２】
前記装置本体は、
回路基板を備えた本体部と、
前記本体部から延びるグリップ部と、
を備え、
前記電源収容部は、少なくとも前記グリップ部に配置され、かつ前記グリップ部に設けられた挿入口から前記保持ユニットが挿入される構成をなしており、
更に、前記本体部において、前記本体側コネクタが設けられていることを特徴とする請求項１に記載の携帯情報端末。
【請求項３】
前記本体側コネクタは、前記本体部に設けられた前記回路基板に実装されていることを特徴とする請求項２に記載の携帯情報端末。
【請求項４】
前記電池側コネクタと前記本体側コネクタとが互いに嵌合する構成をなしており、
前記電源収容部に対する前記保持ユニットの挿入方向に沿った方向で、前記本体側コネクタに対して前記電池側コネクタが組み付けられることを特徴とする請求項２又は請求項３に記載の携帯情報端末。
【請求項５】
前記コネクタ保持部は、前記電池側コネクタを仮保持する仮保持部を備えており、
前記仮保持部に前記電池側コネクタが仮保持された状態で前記保持ユニットが前記電源収容部に挿入されたとき、前記本体側コネクタから前記電池側コネクタに与えられる嵌合時又は嵌合後の押圧に応じて前記仮保持部による仮保持が解除され、前記電池側コネクタが前記コネクタ保持部に対して揺動可能となることを特徴とする請求項２から請求項４のいずれか一項に記載の携帯情報端末。
【請求項６】
前記電池側コネクタは、前記本体側コネクタとの接続側とは反対側の端部にフランジ部が形成されており、
前記仮保持部は、前記フランジ部の周縁部と嵌合する嵌合部と、前記周縁部における接続側とは反対側の面を支持する撓み変形可能な撓み部と、を備え、
前記コネクタ保持部には、前記仮保持部に隣接して前記フランジ部を揺動可能に収容するフランジ部収容部が設けられており、
前記フランジ部が前記嵌合部と嵌合した仮保持状態で前記保持ユニットが前記電源収容部に挿入されたとき、前記本体側コネクタから前記電池側コネクタに与えられる嵌合時又は嵌合後の押圧に応じて前記フランジ部が前記撓み部を弾性変形させて前記フランジ部収容部側に移動し、且つ前記フランジ部と前記嵌合部との嵌合が解除され、
前記保持ユニットが前記電源収容部から離脱される際には、前記周縁部における前記本体側コネクタとの接続側の面が前記撓み部に支持されることで前記コネクタ保持部と前記電池側コネクタとが一体的に移動し、前記電池側コネクタと前記本体側コネクタとの嵌合が解除されることを特徴とする請求項５に記載の携帯情報端末。
【請求項７】
前記電池本体保持部は、一方側に開口部が形成された箱状形態をなしており、
前記装置本体の前記電源収容部には、前記保持ユニットが装着された装着時において前記電池本体保持部の前記開口部と対向する対向壁が設けられており、
前記対向壁は、前記装着時において前記電池本体の前記本体部側への移動を拘束することを特徴とする請求項１から請求項６のいずれか一項に記載の携帯情報端末。
【請求項８】
前記保持ユニットには、前記電池本体保持部内での前記電池本体の位置を調整する位置調整部材が設けられていることを特徴とする請求項１から請求項７のいずれか一項に記載の携帯情報端末。
【発明の詳細な説明】
【技術分野】
【０００１】
本発明は、光学的情報読取装置等の携帯情報端末に関するものである。
【背景技術】
【０００２】
現在、情報コードリーダや、カードリーダ等の各種携帯情報端末が提供されている。この種の携帯情報端末は、様々な場所に持ち運ばれて使用されるものであるため、内部に収容される電池によって各種電気部品を動作させる構成のものが一般的である。
【特許文献１】特開２００１−４２９７４公報
【発明の開示】
【発明が解決しようとする課題】
【０００３】
ところで、携帯情報端末に用いられる電池（たとえば汎用電池）は、図９のように電池本体１０２からワイヤ１０３が延出する構成のものが多く、携帯情報端末の装置本体はこのような電池を良好に装着し得る構成が望まれる。また、携帯情報端末に用いられる電池は、各種メンテナンスや取り替え作業を必要とするため、携帯情報端末の装置本体に対して着脱可能であることが望ましい。
【０００４】
このような要望に応える構成としては、例えば図９のようなものが考えられる。図９の構成では、電池本体１０２をベース部材１０１に固定すると共に、電池本体１０２から延びるワイヤ１０３に接続されたコネクタ１０４と装置本体（具体的には図示しない基板等）から延びるワイヤ１１１に接続されたコネクタ１１２とを連結し、電池１００から装置本体に対して電力を供給するようにしている。この構成では、ベース部材１０１が装置本体の所定位置に組み付けられれば（例えば電池収容空間を閉塞する蓋として組みつけられれば）電池１００が装置本体内の所定位置に安定的に保持されることとなる。
【０００５】
しかしながら、図９の構成の場合、電池１００を装置本体内に収容する作業に手間がかかるという問題がある。即ち、図９の構成は、電池１００を装置本体内に収容する際にワイヤ１０３、１１１やコネクタ１０４、１１２を折り畳む等によって纏め、これを装置本体内に押し込まなければならず、電池の組み付け作業を行いにくい。また、装置本体側からのワイヤを必要とするため、ワイヤの量が多くなりやすく、コストやスペースの面で不利である。
【０００６】
本発明は、上述した課題を解決するためになされたものであり、コネクタ及びコードを備えた電池を内部に収容してなる携帯情報端末において、電池の組み付け作業を容易化し得る構成を簡易に実現することを目的とする。
【課題を解決するための手段】
【０００７】
請求項１の発明は、電池本体と、前記電池本体からの電力を供給する電力供給用コードと、前記電力供給用コードに取り付けられる電池側コネクタと、を備えた電源手段と、前記電源手段を収容する電源収容部を備えた装置本体と、を有する携帯情報端末であって、少なくとも前記電池本体を保持する電池本体保持部と、前記電池側コネクタを保持するコネクタ保持部と、を備えると共に、前記電源収容部に対し着脱可能に構成された保持ユニットを有し、前記装置本体には、前記電池側コネクタの接続対象となる本体側コネクタが設けられており、前記電源収容部に対して前記保持ユニットが装着されるときに、その装着操作に応じて前記電池側コネクタと前記本体側コネクタとが互いに接続するように、前記本体側コネクタと前記コネクタ保持部とが位置合わせされていることを特徴とする。
【０００８】
請求項２の発明は、請求項１に記載の携帯情報端末において、前記装置本体は、回路基板を備えた本体部と、前記本体部から延びるグリップ部と、を備え、前記電源収容部は、少なくとも前記グリップ部に配置され、かつ前記グリップ部に設けられた挿入口から前記保持ユニットが挿入される構成をなしており、更に、前記本体部において、前記本体側コネクタが設けられていることを特徴とする。
【０００９】
請求項３の発明は、請求項２に記載の携帯情報端末において、前記本体側コネクタは、前記本体部に設けられた前記回路基板に実装されていることを特徴とする。
【００１０】
請求項４の発明は、請求項２又は請求項３に記載の携帯情報端末において、前記電池側コネクタと前記本体側コネクタとが互いに嵌合する構成をなしており、前記電源収容部に対する前記保持ユニットの挿入方向に沿った方向で、前記本体側コネクタに対して前記電池側コネクタが組み付けられることを特徴とする。
【００１１】
請求項５の発明は、請求項２から請求項４のいずれか一項に記載の携帯情報端末において、前記コネクタ保持部は、前記電池側コネクタを仮保持する仮保持部を備えており、
前記仮保持部に前記電池側コネクタが仮保持された状態で前記保持ユニットが前記電源収容部に挿入されたとき、前記本体側コネクタから前記電池側コネクタに与えられる嵌合時又は嵌合後の押圧に応じて前記仮保持部による仮保持が解除され、前記電池側コネクタが前記コネクタ保持部に対して揺動可能となることを特徴とする。
【００１２】
請求項６の発明は、請求項５に記載の携帯情報端末において、前記電池側コネクタは、前記本体側コネクタとの接続側とは反対側の端部にフランジ部が形成されており、前記仮保持部は、前記フランジ部の周縁部と嵌合する嵌合部と、前記周縁部における接続側とは反対側の面を支持する撓み変形可能な撓み部と、を備え、前記コネクタ保持部には、前記仮保持部に隣接して前記フランジ部を揺動可能に収容するフランジ部収容部が設けられており、前記フランジ部が前記嵌合部と嵌合した仮保持状態で前記保持ユニットが前記電源収容部に挿入されたとき、前記本体側コネクタから前記電池側コネクタに与えられる嵌合時又は嵌合後の押圧に応じて前記フランジ部が前記撓み部を弾性変形させて前記フランジ部収容部側に移動し、且つ前記フランジ部と前記嵌合部との嵌合が解除され、前記保持ユニットが前記電源収容部から離脱される際には、前記周縁部における前記本体側コネクタとの接続側の面が前記撓み部に支持されることで前記コネクタ保持部と前記電池側コネクタとが一体的に移動し、前記電池側コネクタと前記本体側コネクタとの嵌合が解除されることを特徴とする。
【００１３】
請求項７の発明は、請求項１から請求項６のいずれか一項に記載の携帯情報端末において、前記電池本体保持部は、一方側に開口部が形成された箱状形態をなしており、前記装置本体の前記電源収容部には、前記保持ユニットが装着された装着時において前記電池本体保持部の前記開口部と対向する対向壁が設けられており、前記対向壁は、前記装着時において前記電池本体の前記本体部側への移動を拘束することを特徴とする。
【００１４】
請求項８の発明は、請求項１から請求項７のいずれか一項に記載の携帯情報端末において、前記保持ユニットには、前記電池本体保持部内での前記電池本体の位置を調整する位置調整部材が設けられていることを特徴とする。
【発明の効果】
【００１５】
請求項１の発明では、電池本体及び電力供給用コードを保持する電池本体保持部と、電池側コネクタを保持するコネクタ保持部とを備えた保持ユニットが設けられているため、電池の装着前に電池本体、電力供給用コード、及び電池側コネクタを一体化でき、装着の際に電力供給用コードの取り回しに苦労するようなことがなくなる。また、電源収容部に対して保持ユニットが装着されるときに、その装着操作に応じて電池側コネクタと本体側コネクタとが互いに接続するように位置合わせされている。このようにすれば装置本体側に長いワイヤを設けずに済むため、装置構成の簡素化、コスト低減を図ることができ、保持ユニットを装着しさえすれば位置合わせされたコネクタ同士が連結するため、組み付け作業を容易かつ良好に行うことができる。
【００１６】
請求項２の発明では、装置本体において、回路基板を備えた本体部と、本体部から延びるグリップ部とが設けられており、本体部において、本体側コネクタが設けられている。従って、回路基板と本体側コネクタとの距離を近づけることができ、回路基板と本体側コネクタとの間の余分な配線を極力削減できる。また、グリップ部に設けられた挿入口から保持ユニットが挿入される構成となっているため、グリップ部の内部空間を利用して電池を好適に収容できる。
【００１７】
請求項３の発明では、本体側コネクタが本体部に設けられた回路基板に実装されているため、回路基板と本体側コネクタとの間の配線を省略でき、装置構成の簡素化を図る上で一層有利となる。
【００１８】
請求項４の発明では、電池側コネクタと本体側コネクタとが互いに嵌合する構成をなしており、電源収容部に対する保持ユニットの挿入方向に沿った方向で、本体側コネクタに対して電池側コネクタが組み付けられるようになっている。このようにすれば、保持ユニットを電池収容部に収容しようとする力を、コネクタ同士を組み付ける力として利用できるため、コネクタの連結をスムーズに行うことができ、連結後にはコネクタ同士の嵌合状態が安定的に維持されることとなる。
【００１９】
請求項５の発明では、保持ユニットが電源収容部に挿入される際に仮保持部によって電池側コネクタが仮保持されるため、コネクタ同士の位置決め及び嵌合が好適に行われる。また、本体側コネクタから電池側コネクタに与えられる嵌合時又は嵌合後の押圧に応じて仮保持部による仮保持が解除され、電池側コネクタがコネクタ保持部に対して揺動可能となるため、保持ユニット装着後（即ち通常使用時）には電池側コネクタがコネクタ保持部によって強固に拘束されず、電池側コネクタに対してコネクタ保持部からの力が加わりにくくなる。このようにすれば、例えば落下等によって保持ユニット側に衝撃が加えられたとしても電池側コネクタやこれに接続される本体側コネクタに衝撃が伝達されにくくなり、これらを良好に保護することができる。
【００２０】
請求項６の発明では、電池側コネクタにおいて本体側コネクタとの接続側とは反対側の端部にフランジ部が形成され、コネクタ保持部にはフランジ部の周縁部と嵌合する嵌合部が形成されている。このようにすれば、電池側コネクタにおいて本体側コネクタとの接続側とは反対側を好適に仮保持でき、両コネクタを連結しやすくなる。また、フランジ部が嵌合部と嵌合した仮保持状態で保持ユニットが電源収容部に挿入されたとき、本体側コネクタから電池側コネクタに与えられる嵌合時又は嵌合後の押圧に応じてフランジ部が撓み部を弾性変形させてフランジ部収容部側に移動し、且つフランジ部と嵌合部との嵌合が解除されるようになっている。このようにすると、仮保持を好適に行いつつ保持ユニットの装着後に電池側コネクタを揺動させ得る構成を簡易に実現できる。また、保持ユニットが電源収容部から離脱される際に、周縁部における本体側コネクタとの接続側の面が撓み部に支持されてコネクタ保持部と電池側コネクタとが一体的に移動し、電池側コネクタと本体側コネクタとの嵌合が解除されるようになっている。従って、保持ユニットを装置本体から取り外す際に別途コネクタに対して嵌合解除操作を行う必要がなく、保持ユニットの離脱操作と連動させてコネクタ同士の連結を容易に解除できる。
【００２１】
請求項７の発明では、電池本体保持部の一方側に開口部が形成されて箱状形態をなしているため、電池本体の収容作業或いは離脱作業を行いやすくなる。また、装置本体の電源収容部に、保持ユニットが装着された装着時において電池本体保持部の開口部と対向する対向壁が設けられており、この対向壁により、装着時において電池本体の本体部側への移動が拘束されるようになっている。従って、上記のように着脱作業容易な構成を実現しつつ、装着時において電池本体を安定的に保持できるようになる。
【００２２】
請求項８の発明は、保持ユニットにおいて電池本体保持部内での電池本体の位置を調整する位置調整部材が設けられているため、電池本体を適切な位置に調整できる。
【発明を実施するための最良の形態】
【００２３】
[第１実施形態]
以下、本発明の携帯情報端末を具現化した第１実施形態について、図面を参照して説明する。図１は、本発明の第１実施形態に係る携帯情報端末を例示する断面概略図である。図２は、図１の携帯情報端末の電気的構成を例示するブロック図である。図３は、図１の携帯情報端末において保持ユニットを取り外した様子を説明する説明図である。図４は、保持ユニットの断面外略図である。図５は、保持ユニットにおけるコネクタ保持部付近を概略的に説明する斜視図である。図６は、保持ユニットが装着されていないときのコネクタ保持部付近の様子を説明する説明図である。図７は、保持ユニットが装着されたときのコネクタ保持部付近の様子を説明する説明図である。図８は、保持ユニットを取り外す際のコネクタ保持部付近の様子を説明する説明図である。なお、図１、図３では電力供給用コード９２を省略して示しており、電源側コネクタ９３やコネクタ保持部７０についても簡略的に示している。
【００２４】
１．全体構成
まず、図１、図２を参照して全体構成を説明する。
本発明に係る携帯情報端末は、例えばバーコードリーダ、二次元コードリーダ等の光学的情報読取装置、或いはＩＣカード等を読み取る決済端末などとして構成されるものである。なお、以下では本発明を光学的情報読取装置に適用した場合を例に挙げて説明するが、決済端末等の他種の携帯情報端末でも同様に構成できる。
【００２５】
図１に示すように、携帯情報端末１は、装置本体２とこれに着脱される電池９０とを備えてなるものである。装置本体２は、外郭を構成するケース２ａと、このケース２ａ内に収容される各種部品とを備えてなるものであり、後述する電池９０からの電力供給を受けて回路基板１０等の各種電気部品が動作するようになっている。なお、本実施形態では、携帯情報端末１のうち、保持ユニット６０及び電池９０を除いた部分が装置本体２に相当している。
【００２６】
本実施形態に係る携帯情報端末１は、読取対象物Ｒ（包装容器等）に付された二次元コード、バーコード等の情報コードＱを読み取る携帯側の情報コードリーダとして構成されており、図２に示すように、主に、照明光源２１、受光センサ２３、フィルタ２５、結像レンズ２７等の光学系と、メモリ３５、制御回路４０、操作スイッチ４２、液晶表示装置４６等のマイクロコンピュータ（以下「マイコン」という）系と、電源スイッチ４１、電池９０等の電源系と、から構成されている。なお、これらは、図１に示す回路基板１０等に実装あるいは図略のハウジング内に内装されている。
【００２７】
光学系は、照明光源２１、受光センサ２３、フィルタ２５、結像レンズ２７等から構成されている。照明光源２１は、読取対象物Ｒに向けて照明光Ｌｆを発光可能な照明光源として機能するもので、例えば、赤色のＬＥＤとこのＬＥＤの出射側に設けられる拡散レンズ、集光レンズ等とから構成されている。なお、本実施形態では、これら光学系は回路基板１０に実装されている。
【００２８】
受光センサ２３は、読取対象物Ｒや情報コードＱに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。受光センサ２３は、結像レンズ２７を介して入射する入射光を受光面２３ａで受光し得るように回路基板１０に実装されている。
【００２９】
フィルタ２５は、反射光Ｌｒの波長相当以下の光の通過を許容し、当該波長相当を超える光の通過を遮断し得る光学的なローパスフィルタで、ハウジングの読取口と結像レンズ２７との間に設けられている。これにより、反射光Ｌｒの波長相当を超える不要な光が受光センサ２３に入射することを抑制している。
【００３０】
結像レンズ２７は、外部から読取口３ａを介して入射する入射光を集光して受光センサ２３の受光面２３ａに像を結像可能な結像光学系として機能するもので、例えば、鏡筒とこの鏡筒内に収容される複数の集光レンズとにより構成されている。本実施形態では、照明光源２１から照射された照明光Ｌｆが情報コードＱに反射して読取口３ａに入射する反射光Ｌｒを集光することにより、受光センサ２３の受光面２３ａに情報コードＱのコード画像を結像可能にしている。
【００３１】
次に、マイコン系の構成概要を説明する。
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示装置４６、通信インタフェース４８等から構成されている。このマイコン系は、その名の通り、マイコン（情報処理装置）として機能し得る制御回路４０およびメモリ３５と中心に構成されるもので、前述した光学系によって撮像された情報コードＱの画像信号をハードウェア的およびソフトウェア的に信号処理し得るものである。また制御回路４０は、当該携帯情報端末１の全体システムに関する制御も行っている。なお、本実施形態では増幅回路３１、増幅回路３１、Ａ／Ｄ変換回路３３、メモリ３５、アドレス発生回路３６、同期信号発生回路３８、制御回路４０等が回路基板１０に実装されているが他部品（操作スイッチ４２、ＬＥＤ４３、ブザー４４、液晶表示装置４６、通信インタフェース４８）が回路基板１０に実装されていてもよい。
【００３２】
光学系の受光センサ２３から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３３】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００３４】
制御回路４０は、携帯情報端末１全体を制御可能なマイコンで、ＣＰＵ、システムバス、入出力インタフェース等からなるもので、メモリ３５とともに情報処理装置を構成し得るもので情報処理機能を有する。この制御回路４０には、内蔵された入出力インタフェースを介して種々の入出力装置（周辺装置）と接続可能に構成されており、本実施形態の場合、電源スイッチ４１、操作スイッチ４２、ＬＥＤ４３、ブザー４４、液晶表示装置４６、通信インタフェース４８等を接続されている。通信インタフェース４８に接続される外部装置には、当該携帯情報端末１の上位システムに相当するホストコンピュータＨＳＴ等が含まれる。
【００３５】
電源系は、電源スイッチ４１、電池９０等により構成されており、制御回路４０により管理される電源スイッチ４１のオンオフによって、上述した各装置や各回路に、電池９０から供給される駆動電圧の導通や遮断が制御されている。電池９０は、電池側コネクタ９３と本体側コネクタ７との連結により回路基板１０に接続されている。なお、電池９０に関連する構成については後に詳述する。
【００３６】
このように構成される携帯情報端末１は、例えば以下のように動作する。まず、電源スイッチ４１がオンされて所定の自己診断処理等が正常終了し、情報コードＱの読み取りが可能な状態になると、照明光Ｌｆの発光を指示する操作スイッチ４２（例えばトリガースイッチ）の入力を受け付ける。この状態で、作業者がトリガースイッチを押圧しオンにすると、制御回路４０が照明光源２１に対し同期信号を基準に発光信号を出力する。当該発光信号を受けた照明光源２１は、ＬＥＤを発光させて照明光Ｌｆを照射する。すると、情報コードＱに照射された照明光Ｌｆが反射しその反射光Ｌｒが読取口３ａおよびフィルタ２５を介して結像レンズ２７に入射するため、受光センサ２３の受光面２３ａには、結像レンズ２７により情報コードＱの像、つまりコード画像が結像される。これにより、受光素子が露光され、受光センサ２３からは情報コードＱの像に応じた画像信号が出力される。この画像信号は上述のように画像データとしてメモリ３５に記憶され、二値化処理後、公知のデコード処理によってデコードされる。
【００３７】
２．特徴的構成
次に、携帯情報端末１の特徴的構成について説明する。
図１に示すように、本実施形態に係る携帯情報端末１は、装置本体２内に電池９０を収容するための電池収容部５が設けられており、この電池収容部５内に電池９０を収容して当該電池９０を所定位置に保持する構成となっている。具体的には、装置本体２に対して着脱可能な保持ユニット６０が設けられており、図１、図３のように、保持ユニット６０と電池９０とが装置本体２に対して一体的に装着又は離脱するようになっている。
【００３８】
本実施形態の携帯情報端末１は、いわゆるガンタイプの情報コードリーダとして構成されており、図１、図３のように、装置本体２において、長手状の本体部３と、この本体部３の下方側から延びるグリップ部４とが設けられている。
本体部３は、上述の電気部品が実装された回路基板１０をケース内に収容してなる部分であり、長手方向一端側には上記照明光の導出や反射光の導入を行うための読取口３ａが形成されている。
【００３９】
グリップ部４は、本体部３から延びる構成をなしており、携帯情報端末１の使用者によって把持される部分として構成されている。このグリップ部４は、中空状に構成された電池収容部５を備えており、先端部において保持ユニット６０を挿入するための挿入口４ａが形成されている。なお、本実施形態では、本体部３のケース部分とグリップ部４のケース部分が一体形成され、本体部３とグリップ部４とが一体的に構成されているが、本体部３とグリップ部４とを別部材によって構成し、本体部３に対してグリップ部４が着脱できるような構成であってもよい。
【００４０】
電池９０は、電池本体９１と、電池本体９１から延びる複数の電力供給用コード９２と、この複数の電力供給用コード９２の先端部に取り付けられる電池側コネクタ９３とを備えている。電池本体９１は、所定の直流電圧を発生可能な二次電池（例えばリチウムイオン電池等）として構成されるものであり、本実施形態では略直方体状に形成されている。電力供給用コード９２は、電池本体９１からの電力を電池側コネクタ９３の接続先（本実施形態では回路基板１０）に供給するための電力ラインとして機能するものである。また、電池側コネクタ９３は、後述する本体側コネクタ７と連結するものであり、本体側コネクタ７との接続時には各電力供給用コード９２と、本体側コネクタ７に設けられた各端子とを電気的に接続するように機能する。なお、図１、図３では、電力供給用コード９２を省略した概略構成を示している。また、図４では、電力供給用コード９２の一部を省略して示している。
【００４１】
保持ユニット６０は、図１、図３、図４に示すように、電池本体９１及び電力供給用コード９２を保持する電池本体保持部６１と、電池側コネクタ９３を保持するコネクタ保持部７０と、を備えてなるものであり、電池９０を保持した状態でグリップ部４に形成された電池収容部５内に収容されるように装着される。グリップ部４による保持ユニット６０の保持構造は様々に考えられ、グリップ部４と保持ユニット６０とを係合させる構造（例えば、保持ユニット６０及びグリップ部４のいずれか一方に変位可能な係合爪を設け、他方にこれと係合する係合孔を設けるような係合構造）であってもよく、グリップ部４と保持ユニット６０とをねじ等の連結部材によって連結するような構造であってもよい。なお、本実施形態の構成では、保持構造を解除することによりグリップ部４から保持ユニット６０を容易に取り外すことができるようになっている。
【００４２】
図４に示すように、保持ユニット６０に形成された電池本体保持部６１は、一方側に開口部６１ａが形成された箱状形態をなしている。具体的には、電池本体９１の側方を取り囲む４つの側壁部（図４では、側壁部６１ａ、６１ｂのみ図示）と、開口部６１ａとは反対側を閉塞する底壁部としての蓋部６２とを備えており、これら側壁部と蓋部６２とによって電池本体６１を収容する収容空間が構成されている。電池本体保持部６１の底部付近には保持ユニット６０内における電池本体９１の相対位置（より具体的には電池本体保持部６１内での電池本体９１の相対位置）を調整するための位置調整部材８０が設けられている。この位置調整部材８０は、電池本体保持部６１の底部（即ち蓋部６２）と電池本体９１との間を所定距離に維持するスペーサとして機能するものであり、電池本体保持部６１に対して着脱可能に設けられている。なお、位置調整部材８０は、着脱可能に設けられているため、メンテナンスを行いやすく、他部材に変更することも容易に行うことができる。例えば、現在収容されている位置調整部材８０のサイズが電池本体９１のサイズと合わない場合（例えば、位置調整部材８０が大きすぎて位置調整部材８０と対向壁６との間に電池本体９１が収まりきらない場合等）に、他サイズの位置調整部材に容易に変更できる。
【００４３】
このように構成される電池本体保持部６１に電池本体９１を保持させるには、単に電池本体９１を開口部６１ａ側から電池本体保持部６１に差し込めばよい。なお、電力供給用コード９２は、一部を電池本体保持部６１内の空いたスペースに収容するようにしてもよく、電池本体保持部６１の外部で束ねておくようにしてもよい。図１等の例では、電池本体保持部６１内の収容空間のサイズよりも若干小さい電池本体９１を用いていており、電池本体保持部６１と電池本体９１との間に若干隙間が生じる構成を例示しているが、電池本体保持部６１内に収容可能なサイズであれば他のサイズの電池本体を用いてもよい。つまり、本実施形態の構成は、電池本体のサイズ変更に対応しやすい構成であるといえる。
【００４４】
また、図１、図３に示すように、装置本体２の電池収容部５には、保持ユニット６０が装着された装着時において電池本体保持部６１の開口部６１ａと対向する対向壁６が設けられている。この対向壁６は、図１に示す装着時において電池本体９１の本体部３側への移動を拘束するように機能する。即ち、保持ユニット６０の装着時において対向壁６と位置調整部材８０との間隔が電池本体９１の長手方向の長さとほぼ等しく構成されており、装着時において位置調整部材８０と対向壁６とによって電池本体９１が挟まれ、電池本体９１の所定方向（位置調整部材８０と対向壁６との対向方向）の移動が拘束されている。なお、電池本体９１を対向壁６と位置調整部材８０とによって挟持すれば、横方向（即ち位置調整部材８０と対向壁６との対向方向と直交する方向）への移動もある程度抑えられる）。対向壁６は、装置本体２のケース２ａと一体形成してもよく、ケース２ａに固定される別部材としてもよい。また、対向壁６は、少なくとも保持ユニット６０側の壁部を軟質の材料（ゴム、エラストマー等）によって構成してもよい。
【００４５】
次に、コネクタ保持部７０について説明する。図４、図５、図６に示すように、コネクタ保持部７０は、電力供給用コード６２の端部に設けられた電池側コネクタ９３を保持するものであり、上述の電池本体保持部６１の開口部６１ａ付近において当該電池本体保持部６１と一体的に形成されている。本実施形態では、本体側コネクタ７との接続側とは反対側の端部にフランジ部９３ａが形成された電池側コネクタ９３が用いられており、コネクタ保持部７０には、このフランジ部９３ａの周縁部と嵌合する嵌合部７１と、周縁部における接続側とは反対側の面９３ｂを支持する撓み変形可能な撓み部７２とが設けられている。嵌合部７１は、一対の壁部７１ａ,７１ｂを備えており、これら一対の壁部７１ａ,７１ｂの間隔がフランジ部９３ａの幅と同程度、若しくはフランジ部９３ａの幅よりもわずかに小さい程度で構成されている。このような構成においてフランジ部９３ａを壁部７１ａ,７１ｂ間に押し込むことで壁部７１ａ,７１ｂの両内面がフランジ部９３ａの周縁部と接触するように嵌合し、摩擦力によってフランジ部９３ａが保持されることとなる。また、図５の例では、フランジ部９３ａの所定方向（壁部７１ａ、７１ｂに沿った方向）の移動を拘束するストッパー７２ａが撓み部７２においてフランジ部９３ａを挟んだ両側に設けられており、嵌合部７１での仮保持の際にフランジ部９３ａが所定方向（壁部７１ａ、７１ｂに沿った方向）にずれないように構成されている。従って、電池側コネクタ９３は、コネクタ保持部７０の所定位置に安定的に位置決めされることとなる。なお、本実施形態では嵌合部７１及び撓み部７２が「仮保持部」の一例に相当する。
【００４６】
電池側コネクタ９３の接続対象となる本体側コネクタ７は、図１、図３、図７に示すように本体部３の所定位置に固定されるものであり、本実施形態では本体部３に設けられた回路基板１０に実装されている。これら本体側コネクタ７及び電池側コネクタ９３は互いに嵌合する構成をなしており、図１、図７のように本体側コネクタ７に対して電池側コネクタ９３が差し込まれることにより互いに嵌合し、連結する構成となっている。
【００４７】
さらに本実施形態に係る携帯情報端末１では、電池収容部５に対して保持ユニット６０が装着されるときに、その装着操作に応じて電池側コネクタ９３と本体側コネクタ７とが互いに接続するように、本体側コネクタ７とコネクタ保持部７０とが位置合わせされている。具体的には図１のように保持ユニット６が装置本体２内に完全に収まった位置における電池側コネクタ９３の配置位置が、本体側コネクタ７内に嵌まり込む位置となるように位置調整されている。なお、図１の例では、保持ユニット６０の装着の際に電池側コネクタ９３を本体側コネクタ７の位置に正確に案内するためのガイド部材９が設けられている。本実施形態では、電池収容部５に対する保持ユニット６０の挿入方向（即ち、グリップ部４の長手方向）に沿った方向で、本体側コネクタ７に対して電池側コネクタ９３が組み付けられるようになっている。つまり、挿入方向と組み付け方向とがほぼ平行となっており、保持ユニット６０を押し入れる力を利用してコネクタ同士を組み付けることができるようになっている。
【００４８】
また、本実施形態では、嵌合部７１及び撓み部７２によって電池側コネクタ９３が仮保持された状態で保持ユニット６０が電池収容部５に挿入されたとき、本体側コネクタ７から電池側コネクタ９３に与えられる嵌合時又は嵌合後の押圧に応じて嵌合部７１及び撓み部７２による仮保持が解除され、電池側コネクタ９３がコネクタ保持部７０に対して揺動可能となるように構成されている。即ち、携帯情報端末１のコネクタ保持部７０には、撓み部７２に隣接してフランジ部９３ａを揺動可能に収容するフランジ部収容部７３が設けられており、図６のようにフランジ部９３ａが嵌合部７１と嵌合した仮保持状態で保持ユニット６０が電池収容部５に挿入されたとき、本体側コネクタ７から電池側コネクタ９３に与えられる嵌合時又は嵌合後の押圧に応じてフランジ部９３ａが撓み部７２を弾性変形させてフランジ部収容部７３側に移動し、図７のようにフランジ部９３ａと嵌合部７１との嵌合が解除されるようになっている。フランジ部収容部７３内の収容空間はフランジ部９３ａのサイズよりも大きく構成されており、図７のように収容されたときにフランジ部９３ａとフランジ部収容部７３との間に隙間が構成されるようになっている。
【００４９】
また、保持ユニット６０が電池収容部５から離脱される際には、保持ユニット６０と装置本体２とが互いに離間しようとするため、図８のように、コネクタ保持部７０も本体側コネクタ７から離れようとする（矢印Ｆ１参照）。すると、フランジ部９３ａの周縁部における本体側コネクタ７との接続側の面９３ｃが本体側コネクタ７から離れようとする撓み部７２に支持され（矢印Ｆ２参照）、コネクタ保持部７０と電池側コネクタ９３とが一体的に移動し、電池側コネクタ９３が本体側コネクタ７から引き抜かれて嵌合が解除されることとなる。
【００５０】
以上説明した本実施形態の構成によれば以下のような効果を奏することとなる。
本実施形態に係る携帯情報端末１では、電池本体９１及び電力供給用コード９２を保持する電池本体保持部６１と、電池側コネクタ９３を保持するコネクタ保持部７０とを備えた保持ユニット６０が設けられているため、電池の装着前に電池本体９１、電力供給用コード９２、及び電池側コネクタ９３を一体化でき、装着の際に電力供給用コード９２の取り回しに苦労するようなことがなくなる。また、電池収容部５に対して保持ユニット６０が装着されるときに、その装着操作に応じて電池側コネクタ９３と本体側コネクタ７とが互いに接続するように位置合わせされている。このようにすれば装置本体２側に長いワイヤを設けずに済むため、装置構成の簡素化、コスト低減を図ることができ、保持ユニット６０を装着しさえすれば位置合わせされたコネクタ同士が連結するため、組み付け作業を容易かつ良好に行うことができる。
【００５１】
また、装置本体２において、回路基板１０を備えた本体部３と、本体部３から延びるグリップ部４とが設けられており、本体部３において、本体側コネクタ７が設けられている。従って、回路基板１０と本体側コネクタ７との距離を近づけることができ、回路基板１０と本体側コネクタ７との間の余分な配線を極力削減できる。また、グリップ部４に設けられた挿入口４ａから保持ユニット６０が挿入される構成となっているため、グリップ部４の内部空間を利用して電池を好適に収容できる。
【００５２】
また、本体側コネクタ７が本体部３に設けられた回路基板１０に実装されているため、回路基板１０と本体側コネクタ７との間の配線を省略でき、装置構成の簡素化を図る上で一層有利となる。
【００５３】
また、電池側コネクタ９３と本体側コネクタ７とが互いに嵌合する構成をなしており、電池収容部５に対する保持ユニット６０の挿入方向に沿った方向で、本体側コネクタ７に対して電池側コネクタ９３が組み付けられるようになっている。このようにすれば、保持ユニット６０を電池収容部に収容しようとする力を、コネクタ同士を組み付ける力として利用できるため、コネクタの連結をスムーズに行うことができ、連結後にはコネクタ同士の嵌合状態が安定的に維持されることとなる。
【００５４】
また、保持ユニット６０が電池収容部５に挿入される際に仮保持部によって電池側コネクタ９３が仮保持されるため、コネクタ同士の位置決め及び嵌合が好適に行われる。また、本体側コネクタ７から電池側コネクタ９３に与えられる嵌合時又は嵌合後の押圧に応じて仮保持部による仮保持が解除され、電池側コネクタ９３がコネクタ保持部７０に対して揺動可能となるため、保持ユニット６０装着後（即ち通常使用時）には電池側コネクタ９３がコネクタ保持部７０によって強固に拘束されず、電池側コネクタ９３に対してコネクタ保持部７０からの力が加わりにくくなる。このようにすれば、例えば落下等によって保持ユニット６０側に衝撃が加えられたとしても電池側コネクタ９３やこれに接続される本体側コネクタ７に衝撃が伝達されにくくなり、コネクタ自身の破損、はんだ付部へのクラック、或いは基板変形による基板やその他構造部品の破損を防ぐことができる。
【００５５】
また、電池側コネクタ９３において本体側コネクタ７との接続側とは反対側の端部にフランジ部９３ａが形成され、コネクタ保持部７０にはフランジ部９３ａの周縁部と嵌合する嵌合部７１が形成されている。このようにすれば、電池側コネクタ９３において本体側コネクタ７との接続側とは反対側を好適に仮保持でき、両コネクタを連結しやすくなる。また、フランジ部９３ａが嵌合部７１と嵌合した仮保持状態で保持ユニット６０が電池収容部５に挿入されたとき、本体側コネクタ７から電池側コネクタ９３に与えられる嵌合時又は嵌合後の押圧に応じてフランジ部９３ａが撓み部７２を弾性変形させてフランジ部収容部７３側に移動し、且つフランジ部９３ａと嵌合部７１との嵌合が解除されるようになっている。このようにすると、仮保持を好適に行いつつ保持ユニット６０の装着後に電池側コネクタ９３を揺動させ得る構成を簡易に実現できる。また、保持ユニット６０が電池収容部５から離脱される際に、周縁部における本体側コネクタ７との接続側の面が撓み部７２に支持されてコネクタ保持部７０と電池側コネクタ９３とが一体的に移動し、電池側コネクタ９３と本体側コネクタ７との嵌合が解除されるようになっている。従って、保持ユニット６０を装置本体２から取り外す際に別途コネクタに対して嵌合解除操作を行う必要がなく、保持ユニット６０の離脱操作と連動させてコネクタ同士の連結を容易に解除できる。
【００５６】
また、電池本体保持部６１の一方側に開口部６１ａが形成されて箱状形態をなしているため、電池本体９１の収容作業或いは離脱作業を行いやすくなる。また、装置本体２の電池収容部５に、保持ユニット６０が装着された装着時において電池本体保持部６１の開口部６１ａと対向する対向壁６が設けられており、この対向壁６により、装着時において電池本体９１の本体部３側への移動が拘束されるようになっている。従って、上記のように着脱作業容易な構成を実現しつつ、装着時において電池本体９１を安定的に保持できるようになる。
【００５７】
また、保持ユニット６０において電池本体保持部６１内での電池本体９１の位置を調整する位置調整部材８０が設けられているため、電池本体９１を適切な位置に調整できる。
【００５８】
［他の実施形態]
本発明は上記記述及び図面によって説明した実施形態に限定されるものではなく、例えば次のような実施形態も本発明の技術的範囲に含まれる。
【００５９】
上記実施形態では、グリップ部４を備えた携帯情報端末１を例示したが、グリップ部を備えていない携帯情報端末においても同様に適用できる。
【００６０】
上記実施形態では、本体側コネクタ７が回路基板１０に実装された例を示したが、回路基板に実装されていない構成も可能である。例えば装置本体内の所定位置においてケース内に内装された構成であってもよい。
【図面の簡単な説明】
【００６１】
【図１】図１は、本発明の第１実施形態に係る携帯情報端末を例示する断面概略図である。
【図２】図２は、図１の携帯情報端末の電気的構成を例示するブロック図である。
【図３】図３は、図１の携帯情報端末において保持ユニットを取り外した様子を説明する説明図である。
【図４】図４は、保持ユニットの断面外略図である。
【図５】図５は、保持ユニットにおけるコネクタ保持部付近を概略的に説明する斜視図である。
【図６】図６は、保持ユニットが装着されていないときのコネクタ保持部付近の様子を説明する説明図である。
【図７】図７は、保持ユニットが装着されたときのコネクタ保持部付近の様子を説明する図であり、コネクタ保持部付近を一方側から見た様子を概略的に示す説明図である。
【図８】図８は、保持ユニットを取り外す際のコネクタ保持部付近の様子を説明する説明図である。
【図９】図９は、汎用電池の構成、及び想定しうる電池の取り付け例を説明する説明図である。
【符号の説明】
【００６２】
１…携帯情報端末
２…装置本体
３…本体部
４…グリップ部
４ａ…挿入口
５…電池収容部（電源収容部）
６…対向壁
７…本体側コネクタ
１０…回路基板
６０…保持ユニット
６１…電池本体保持部
６１ａ…開口部
７０…コネクタ保持部
７１…嵌合部（仮保持部）
７２…撓み部（仮保持部）
７３…フランジ部収容部
８０…位置調整部材
９０…電池（電源手段）
９１…電池本体
９２…電力供給用コード
９３…電池側コネクタ
９３ａ…フランジ部
【図１】
2009205567.tif 000003
【図２】
2009205567.tif 000004
【図３】
2009205567.tif 000005
【図４】
2009205567.tif 000006
【図５】
2009205567.tif 000007
【図６】
2009205567.tif 000008
【図７】
2009205567.tif 000009
【図８】
2009205567.tif 000010
【図９】
2009205567.tif 000011